(57)【特許請求の範囲】
【請求項１】
振動板の背面側に構成され、磁気回路の磁気ギャップに連通する第１の空間と、
前記磁気回路内に構成され、前記磁気ギャップに連通する第２の空間と、
前記振動板の背面側に構成され、前記磁気ギャップに連通すると共に前記第１の空間に囲まれた第３の空間と、
前記第２の空間に配設され、前記第２の空間内を流れる気流に対し流体抵抗となる抵抗体と、を備えたことを特徴とするスピーカー装置。
【請求項２】
前記磁気ギャップに挿入されたボイスコイルを、更に備え、
前記振動板は、
前記ボイスコイルよりも外径が大きく形成され、前記第１の空間を画成する第１の振動板と、
前記第１の振動板にその外周が囲まれ、前記第３の空間を画成する第２の振動板と、を有していることを特徴とする請求項１に記載のスピーカー装置。
【請求項３】
前記第１の空間とこのスピーカー装置の外部とを連通する第１の流路と、
前記第３の空間と前記外部とを連通する第２の流路と、を更に備えたことを特徴とする請求項１または２に記載のスピーカー装置。
【請求項４】
前記第３の空間の容積が、前記第１の空間の容積よりも小さいことを特徴とする請求項３に記載のスピーカー装置。
【請求項５】
前記第２の空間と前記第３の空間との間で流出入する気流の流体抵抗が、前記第２の流路と前記第３の空間との間で流出入する気流の流体抵抗よりも、大きいことを特徴とする請求項４に記載のスピーカー装置。
【請求項６】
前記第１の空間の容積が、前記第３の空間の容積よりも小さいことを特徴とする請求項３に記載のスピーカー装置。
【請求項７】
前記第２の空間と前記第１の空間との間で流出入する気流の流体抵抗が、前記第１の流路と前記第１の空間との間で流出入する気流の流体抵抗よりも、大きいことを特徴とする請求項６に記載のスピーカー装置。
【請求項８】
前記抵抗体は、前記気流の流れに添うように配設されていることを特徴とする請求項１ないし７のいずれか一項に記載のスピーカー装置。
【請求項９】
前記抵抗体は、前記気流の流れに逆らうように配設されていることを特徴とする請求項１ないし７のいずれか一項に記載のスピーカー装置。
【請求項１０】
前記第２の空間は、略円環状に形成され、
前記抵抗体は、前記第２の空間の底部、内周部および外周部のうちの、少なくとも１の部位に配設されていることを特徴とする請求項８または９に記載のスピーカー装置。
【請求項１１】
前記抵抗体は、不織布で構成されていることを特徴とする請求項１ないし１０のいずれか一項に記載のスピーカー装置。
【発明の詳細な説明】
【技術分野】
【０００１】
本発明は、主としてヘッドホンに搭載されるスピーカー装置に関する。
【背景技術】
【０００２】
従来、この種のスピーカー装置として、中央振動部、外周振動部およびエッジから成る振動板を備えた電気音響変換装置が知られている（特許文献１参照）。この電気音響変換装置は、フレームと、フレームの中央に配設された磁気回路と、フレームの外縁部に固定された磁気回路に対峙する振動板と、を備えている。磁気回路は、外側の磁極と、内側の中心極と、磁極と中心極との間に設けた永久磁石とを有している。振動板は、断面ドーム形状の中央振動部と、中央振動部の外側に配置された外周振動部と、中央振動部と外周振動部との間に配置された連結部と、外周振動部の外側に位置してフレームに固定されたエッジとを有している。連結部にはボイスコイルが垂設され、ボイスコイルは、磁極と中心極との間のギャップに懸垂されている。そして、外周振動部には、コルゲーションが設けられている。
【先行技術文献】
【特許文献】
【０００３】
【特許文献１】特開２００９−２４６７３９号公報
【発明の概要】
【発明が解決しようとする課題】
【０００４】
このような、従来の電気音響変換装置では、振動板の振動（挙動）に伴って振動板の背面空間に容積変化が生ずる。一方で、振動板の背面空間は、ボイスコイルを境に、外周振動部の背面空間である第１の空間Ｓ１と、ギャップに連なる磁気回路内の第２の空間Ｓ２と、中央振動部の背面空間である第３の空間Ｓ３と、を有している（図８参照）。このため、ボイスコイルを介して外周振動部および中央振動部が振動し、これら振動板の背面空間に容積変化が生じたときに、これら空間の相互間に空気の微小移動が生ずる。そして、この空気の微小移動は、周波数特性の一部音域において、音圧レベルの低下を招く問題がある。以下、この問題点について模式図を参照しながら説明する。
【０００５】
図８は、上記従来の電気音響変換装置を模式的に表した図、図９は、３つの周波数における振動の周期ｔ（時間は対数表示）を示す図。図１０および図１１は、上記の各種振動に対する各背面空間の空気の流れを示す図である。
図８に示すように、振動板の外周振動部１０１の背面側には第１の空間Ｓ１が、磁気回路１０２にはギャップ１０２ａに連通する第２の空間Ｓ２が、そして中央振動部１０３の背面側には第３の空間Ｓ３が構成されている。すなわち、第１の空間Ｓ１、第２の空間Ｓ２および第３の空間Ｓ３は、ギャップ１０２ａを介して相互に連通している。また、第１の空間Ｓ１は、フレーム形成したフレーム開口１０４（流路）を介して外部に連通し、第３の空間Ｓ３は、柱状突起の軸心に形成した突起開口１０５（流路）を介して外部に連通している。
【０００６】
一方、図９の振動の周期において、例えば、
時間ｔ３は、１０００Ｈｚに対応する周期の１／４（ｔ３＝０．２５ｍｓ）、
時間ｔ２は、１００００Ｈｚに対応する周期の１／４（ｔ３＝０．０２５ｍｓ）、
時間ｔ１は、２００００Ｈｚに対応する周期の１／４（ｔ３＝０．０１２５ｍｓ）、
を表している。
【０００７】
以下、図１０および図１１を参照しながら、背面空間である第１の空間Ｓ１、第２の空間Ｓ２および第３の空間Ｓ３の相互間における、定性的な空気の微小移動について説明する。なお、空間Ｓ１の容積は、空間Ｓ３の容積よりも大きいものとする。
図１０は、ボイスコイル１０６の振動により、外周振動部１０１および中央振動部１０３が図示の上方に移動する場合を表している。
【０００８】
図１０（ａ）は、「時間ｔ１」の振動により、外周振動部１０１および中央振動部１０３が上動した場合である。この場合、外周振動部１０１の上動により負圧となった空間Ｓ１に、フレーム開口１０４および空間Ｓ２から空気が微小移動する。同様に、中央振動部１０３の上動により負圧となった空間Ｓ３に、突起開口１０５および空間Ｓ２から空気が微小移動する。この場合、振動（時間ｔ１）が十分に短いので、第１の空間Ｓ１および第３の空間Ｓ３への空気の移動量（流入量）は少なく、開口１０４および開口１０５にあった空気が、それぞれ空間Ｓ１および空間Ｓ３に必要とされる少ない量だけ移動する。なお、開口１０４および開口１０５からそれぞれ空間Ｓ１および空間Ｓ２への空気が流入する際の抵抗が同等であるものとする。時間ｔ１が十分に短い場合、外周振動部１０１および中央振動部１０３は、ボイスコイル１５の動きに追従するように振動する（図示の矢印参照）。
【０００９】
図１０（ｂ）は、「時間ｔ２＞ｔ１」の振動により、外周振動部１０１および中央振動部１０３が上動した場合である。この場合、空間Ｓ１の方が空間Ｓ３よりも容積が大きいので、外周振動部１０１の上方への変位によって空間Ｓ１において増加する容積は、中央振動部１０３の上方への変位によって空間Ｓ３において増加する容積より大きい。したがって、外周振動部１０１および中央振動部１０３の上方への変位が時間ｔ２（＞ｔ１）継続する場合、図１０（ｂ）のように空間Ｓ３から空気圧の小さい空間Ｓ２に向かって空気の移動が起こる。これによって、空間Ｓ３内の空気の圧力が空間Ｓ１よりも小さくなる。これは、ボイスコイル１０６の動きに追従する中央振動部１０３の上方への変位を妨げる力が働くことになり、中央振動部１０３から発する音圧が小さくなる（図示の矢印参照）。
【００１０】
図１０（ｃ）は、「時間ｔ３＞ｔ２」の振動により、外周振動部１０１および中央振動部１０３が上動した場合である。この場合、空間Ｓ１の容積の増加が小さくなり、空間Ｓ３から空間Ｓ２へ、空間Ｓ２から空間Ｓ１への空気の移動量が少なくなり、その際開口１０５等からの空気が移動し（図１０（ｃ）参照）、空間Ｓ１内の空気の圧力に比べて低かった空間Ｓ３の空間内の空気の圧力が上昇する。したがって、ボイスコイル１０６が振動する時間ｔ３が十分大きい（周期数が十分に小さい）場合は、中央振動部１０３の上方への変位を妨げる力は小さく、中央振動部１０３から発する音圧は、外周振動部１０１から発する音圧に比べて著しく低下することはない（図示の矢印参照）。
【００１１】
このように、「時間ｔ２」の振動では、空間Ｓ１と空間Ｓ３の容積の相違から、「時間ｔ１」および「時間ｔ３」の振動に比べて中央振動部１０３の上動が抑制されてしまう。
【００１２】
同様に、図１１は、ボイスコイル１０６の振動により、外周振動部１０１および中央振動部１０３が図示の下方に移動する場合を表している。
図１１（ａ）は時間ｔ１の振動、図１１（ｂ）は時間ｔ２の振動、図１１（ｃ）は時間ｔ３の振動、に対する空気の流れであり、この場合には、それぞれ外周振動部１０１および中央振動部１０３が下動すると、上記上動の場合と逆の空気の流れが生ずる。
【００１３】
このように、従来の電気音響変換装置では、空間Ｓ１と空間Ｓ３の容積の相違から、「時間ｔ２」の振動に対し中央振動部１０３の上動および下動が抑制されてしまう。したがって、時間ｔ２の振動に対応する中心周波数＝１００００Ｈｚの音域において、音圧レベルの低下が生じていることが想定される。
【００１４】
本発明は、上記の想定に基づいて為されたものであり、特定の音域における音圧の低下を抑制することができるスピーカー装置を提供することを課題としている。
【課題を解決するための手段】
【００１５】
本発明のスピーカー装置は、振動板の背面側に構成され、磁気回路の磁気ギャップに連通する第１の空間と、磁気回路内に構成され、磁気ギャップに連通する第２の空間と、振動板の背面側に構成され、磁気ギャップに連通すると共に第１の空間に囲まれた第３の空間と、第２の空間に配設され、第２の空間内を流れる気流に対し流体抵抗となる抵抗体と、を備えたことを特徴とする。
【００１６】
この場合、磁気ギャップに挿入されたボイスコイルを、更に備え、振動板は、ボイスコイルよりも外径が大きく形成され、第１の空間を画成する第１の振動板と、第１の振動板にその外周が囲まれ、第３の空間を画成する第２の振動板と、を有していることが好ましい。
【００１７】
これらの場合、第１の空間とこのスピーカー装置の外部とを連通する第１の流路と、第３の空間と外部とを連通する第２の流路と、を更に備えることが好ましい。
【００１８】
この場合、第３の空間の容積が、第１の空間の容積よりも小さいことが好ましい。
【００１９】
この場合、抵抗体は、第２の流路と第３の空間との間で流出入する気流の流体抵抗が、第２の空間と第３の空間との間で流出入する気流の流体抵抗よりも、大きいことが好ましい。
【００２０】
また、第１の空間の容積が、第３の空間の容積よりも小さいことが好ましい。
【００２１】
この場合、抵抗体は、第１の流路と第１の空間との間で流出入する気流の流体抵抗が、第２の空間と第１の空間との間で流出入する気流の流体抵抗よりも、大きいことが好ましい。
【００２２】
一方、抵抗体は、気流の流れに添うように配設されていることが好ましい。
【００２３】
同様に、抵抗体は、気流の流れに逆らうように配設されていることが好ましい。
【００２４】
これらの場合、第２の空間は、略円環状に形成され、抵抗体は、第２の空間の底部、内周部および外周部のうちの、少なくとも１の部位に配設されていることが好ましい。
【００２５】
さらに、抵抗体は、不織布で構成されていることが好ましい。
【図面の簡単な説明】
【００２６】
【図１】第１実施形態に係るスピーカー装置の断面模式図である。
【図２】第１実施形態の第２の空間周りの断面模式図であり、（ａ）は、抵抗体を設けた場合の断面模式図、（ｂ）は、抵抗体を設けない場合の断面模式図である。
【図３】第１実施形態における振動板が上動したときの、背面空間における空気の流れを示す模式図である。
【図４】第１実施形態における振動板が下動したときの、背面空間における空気の流れを示す模式図である。
【図５】第１実施形態に係るスピーカー装置における周波数特性線図である。
【図６】第１実施形態の変形例に係る第２の空間周りの断面模式図である。
【図７】第２実施形態に係るスピーカー装置の断面模式図である。
【図８】従来の電気音響変換装置を模式的に表した図である。
【図９】３つの周波数における振動の周期ｔ（時間は対数表示）を示す図である。
【図１０】従来技術の振動板が上動したときの、背面空間における空気の流れを示す図である。
【図１１】従来技術の振動板が下動したときの、背面空間における空気の流れを示す図である。
【発明を実施するための形態】
【００２７】
以下、添付の図面を参照して、本発明の一実施形態に係るスピーカー装置について説明する。このスピーカー装置は、例えばヘッドホンに搭載されるコンパクトなものであり、低音から高温までの可聴周波数帯域の全域を再生可能な、いわゆるフルレンジのものである。
【００２８】
［第１実施形態］
図１は、第１実施形態に係るスピーカー装置の断面模式図である。同図に示すように、このスピーカー装置１は、フレーム２と、フレーム２の中央に広く配設された磁気回路３と、フレーム２の外縁部に固定された磁気回路３に対峙する振動板４と、を備えている。磁気回路３は、外側のヨーク１１と、内側のプレート１２と、プレート１２の下側においてヨーク１１との間に介設されたマグネット１３と、ヨーク１１とプレート１２との間の磁気ギャップ１４に挿入されたボイスコイル１５と、を有している。
【００２９】
この場合、ヨーク１１は、フレーム２の中央に配設され、ヨーク１１の表面中央にマグネット１３およびプレート１２が重ねるように配設されている。また、環状に形成されたボイスコイル１５は、振動板４の裏面（背面）に接着等により固定されている。
【００３０】
振動板４は、環状の第１の振動板２１と、第１の振動板２１に外側を囲まれ、プレート１２に対峙する断面ドーム状の第２の振動板２２と、を有している。第１の振動板２１および第２の振動板２２は、一体に形成されていてもよいし、別体に形成されていてもよい。いずれにあっても、振動板４は、剛性（ヤング率）が高く且つ内部損失の高い材料、高分子（樹脂）系、紙系、金属系、複合系等で構成されている。そして、第１の振動板２１と第２の振動板２２との境界部分の背面には、ボイスコイル１５が固定されている。
【００３１】
第２の振動板２２は、このスピーカー装置１の音放出方向Ｙを含む断面がドーム状に形成され、その外径はボイスコイル１５と略同径に形成されている。このことから、第２の振動板２２は、高音を含む音域（例えば中音から高音）を再生する振動板部位として機能している。また、第２の振動板２２は、プレート１２およびマグネット１３を覆って、ダストキャップとしても機能している。
【００３２】
第１の振動板２１は、第２の振動板２２の外周の外側に位置し、全体として環状に形成されている。第１の振動板２１の各部は、このスピーカー装置１の音放出方向Ｙを含む断面がドーム状に形成され、その内径はボイスコイル１５と略同径に且つ外径はボイスコイル１５よりも大径に形成されている。このことから、第１の振動板２１は、低音を含む音域（例えば低音から中音）を再生する振動板部位として機能している。また、第１の振動板２１の周縁部は、フレーム２に固定され、いわゆるエッジとしても機能している。
【００３３】
このように、振動板４が、ボイスコイル１５を境に第１の振動板２１と第２の振動板２２との２つの振動板部位で構成されているため、本実施形態のスピーカー装置１は、薄手の全帯域スピーカーとなっている。なお、第２の振動板２２の外形および第１の振動板２１の内径を、ボイスコイル１５よりも小径に形成してもよいし、大径に形成してもよい。
【００３４】
［振動板の背面空間］
一方、振動板４の第１の振動板２１および第２の振動板２２の適切な振動（挙動）を担保すべく、第２の振動板２２の背面側（音放射方向Ｙに対し反対側）には第３の空間Ｓ３が、第１の振動板２１の背面側（音放射方向Ｙに対し反対側）には第１の空間Ｓ１が、それぞれ構成されている。また、上記の磁気回路３内には、磁気ギャップ１４に連通する第２の空間Ｓ２が構成されている。そして、第２の空間Ｓ２は、磁気ギャップ１４を介して第３の空間Ｓ３および第１の空間Ｓ１と連通している。また、第３の空間Ｓ３の容積に対し、第１の空間Ｓ１の容積が大きく形成されている。
【００３５】
第３の空間Ｓ３は、プレート１２、マグネット１３、ヨーク１１およびフレーム２の中心部に貫通形成した、第２の流路３２を介して外部と連通している。また、第２の流路３２は、本体流路部３２ａと、第３の空間Ｓ３に連通する内側開口部３２ｂと、外部に連通する外側開口３２ｃとを有している。ボイスコイル１５より第２の振動板２２が振動し、第３の空間Ｓ３に容積変化が生ずると、第２の流路３２を介して、第３の空間Ｓ３と外部との相互間で空気が微小移動する。なお、フレーム２に形成された外側開口３２ｃは、塵埃等の侵入を防止すべく複数の小穴で構成されている。
【００３６】
第１の空間Ｓ１は、第３の空間Ｓ３の径方向外側において環状に形成されている。また、第１の空間Ｓ１は、音放射方向Ｙから見て環状に形成された第１の流路３１を介して外部と連通している。第１の流路３１は、フレーム２内に環状に形成されたエアー室３１ａと、第１の空間Ｓ１に連通した複数の内側連通口３１ｂと、外部に連通する複数の外側連通口３１ｃとを有している。ボイスコイル１５が振動することによって第１の振動板２１が振動し、第１の空間Ｓ１に容積変化が生ずると、第１の流路３１を介して、第１の空間Ｓ１と外部との相互間で空気が微小移動する。
【００３７】
第２の空間Ｓ２は、マグネット１３の外周部を内周部３３Ａとし、ヨーク１１の内周部を外周部３３Ｂとし、ヨーク１１の内側周縁部を底部３３Ｃとして音放射方向Ｙから見て環状に形成（画成）されている。そして、第２の空間Ｓ２は、環状に形成された磁気ギャップ１４により、第３の空間Ｓ３および第１の空間Ｓ１と連通している。そして、磁気ギャップ１４内には、ボイスコイル１５が位置し、磁気ギャップ１４は第２の空間Ｓ２と連通している。
【００３８】
ボイスコイル１５が振動することによって、第１の振動板２１および第２の振動板２２が振動すると、第３の空間Ｓ３および第１の空間Ｓ１はそれぞれ容積変化する。詳細は後述するが、この容積変化により、第２の空間Ｓ２に空気の流れが生ずると、再生の際に周波数特性が悪化する問題がある（図１０（ｂ）および図１１（ｂ）参照）。そこで、本実施形態では、第２の空間Ｓ２内に、第３の空間Ｓ３と第１の空間Ｓ１との相互間に流れる気流に対し流体抵抗となる、抵抗体７を設けるようにしている。
【００３９】
図２は、第２の空間Ｓ２周りを拡大した断面模式図であり、図２（ａ）は抵抗体７を設けた場合、図２（ｂ）は抵抗体７を設けない場合の図である。図２（ａ）に示すように、本実施形態では、ヨーク１１およびマグネット１３により画成された第２の空間Ｓ２の底部３３Ｃに、抵抗体７が配設されている。すなわち、抵抗体７は、底部３３Ｃに納まるように断面厚板状に、全体としてリング状に形成されている。上述のように、磁気ギャップ１４には、ボイスコイル１５が挿入されており、ボイスコイル１５の先端部は第２の空間Ｓ２に位置している。
【００４０】
このため、第３の空間Ｓ３と第１の空間Ｓ１との相互間に流れる気流は、第２の空間Ｓ２において、ボイスコイル１５を回り込むように流れる（図２の矢印参照）。この場合、抵抗体７は、第２の空間Ｓ２の底部３３Ｃにあって、空気の流れ（気流）に添うように配設されている。なお、ボイスコイル１５を回り込む実際の空気の流れは、乱流となることもあるが、図２では、これを時間的な平均の流れとして模式的に表している。
【００４１】
抵抗体７は、天然繊維や化学繊維の不織布であって、表面が起毛状のものが好ましい。そこで、本実施形態の抵抗体７は、コストおよび取扱い性等を考慮してフェルトで構成されている。抵抗体７に添って流れる空気は、抵抗体７の表面から流体抵抗（流路摩擦抵抗）を受け、その流れが抑制される。詳細は後述するが、第２の空間Ｓ２をＵターンするように流れる空気は、抵抗体７による流体抵抗を受ける（図２（ａ）と図２（ｂ）との比較）。
【００４２】
ところで、第３の空間Ｓ３には、第２の流路３２および第２の空間Ｓ２から空気が流出入する。本実施形態では、第２の空間Ｓ２に抵抗体７を設けている。これにより、第３の空間Ｓ３には、第２の流路３２から空気の流出入がより行われ易くなる。また同様に、第１の空間Ｓ１には、第１の流路３１から空気の流出入がより行われ易くなる。
【００４３】
［作用・効果］
ここで、図３および図４を参照して、第２空間Ｓ２に抵抗体７を設置した場合の背面空間における空気の流れについて定性的に説明する。図３は、ボイスコイル１５の振動により、第１の振動板２１および第２の振動板２２が図示の上方に移動する場合を表しており、図３（ａ）、図３（ｂ）および図３（ｃ）は、それぞれ抵抗体７の無い図１０（ａ）、図１０（ｂ）および図１０（ｃ）に対応している。
【００４４】
図３（ａ）は、「時間ｔ１」の振動により、第１の振動板２１および第２の振動板２２が上動した場合である。この場合には、第１の振動板２１の上動により負圧となった第１の空間Ｓ１に、第１の流路３１および第２の空間Ｓ２から空気が微小移動する。同様に、第２の振動板２２の上動により負圧となった第３の空間Ｓ３に、第２の流路３２および第２の空間Ｓ２から空気が微小移動する。この場合、振動（時間ｔ１）が十分に短いので、第１の空間Ｓ１および第３の空間Ｓ３への空気の移動量（流入量）は少なく、第１の流路３１および第２の流路３２にあった空気が、それぞれ第１の空間Ｓ１および第３の空間Ｓ３に必要とされる少ない量だけ移動する。なお、第１の流路３１および第２の流路３２からそれぞれ第１の空間Ｓ１および第２の空間Ｓ２への空気が流入する際の抵抗が同等であるものとする。時間ｔ１が十分に短い場合、第１の振動板２１および第２の振動板２２は、ボイスコイル１５の動きに追従するように振動する（図示の矢印参照）。
【００４５】
図３（ｂ）は、「時間ｔ２＞ｔ１」の振動により、第１の振動板２１および第２の振動板２２が上動した場合である。この実施形態では、第１の空間Ｓ１の方が第３の空間Ｓ３よりも容積が大きいので、第１の振動板２１の上方への変位によって第１の空間Ｓ１において増加する容積は、第２の振動板２２の上方への変位によって第３の空間Ｓ３において増加する容積より大きい。したがって、第１の振動板２１および第２の振動板２２の上方への変位が時間ｔ２（＞ｔ１）継続する場合、図３（ｂ）のように第３の空間Ｓ３から空気圧の小さい第２の空間Ｓ２に向かって空気の移動が起こる。本実施形態では、第２の空間Ｓ２内に抵抗体７を備えているので、第２の空間Ｓ２を介した空気の流れは抵抗体７によって妨げられより小さくなる。第３の空間Ｓ３内の空気の圧力は、第１の空間Ｓ１よりも大きく低下しないので、ボイスコイル１０６の動きに追従する第２の振動板２２の上方への変位を妨げる力はより小さくなる。このため、第２の振動板２２から発する音圧の低下はより小さくなる（図示の矢印参照）。
【００４６】
図３（ｃ）は、「時間ｔ３＞ｔ２」の振動により、第１の振動板２１および第２の振動板２２が上動した場合である。この場合には、第１の空間Ｓ１の容積の増加が小さくなり、第３の空間Ｓ３から第２の空間Ｓ２へ、第２の空間Ｓ２から第１の空間Ｓ１への空気の移動量が少なくなる。その際第２の流路３２等からの空気が移動し（図３（ｃ）参照）、第１の空間Ｓ１内の空気の圧力に比べて低かった第３の空間Ｓ３の空間内の空気の圧力が上昇する。したがって、ボイスコイル１０６が振動する時間ｔ３が十分大きい（周期数が十分に小さい）場合は、第２の振動板２２の上方への変位を妨げる力は小さく、第２の振動板２２から発する音圧は、第１の振動板２１から発する音圧に比べて著しく低下することはない（図示の矢印参照）。
【００４７】
図４は、ボイスコイル１５の振動により、第１の振動板２１および第２の振動板２２が図示の下方に移動する場合を表しており、図４（ａ）、図４（ｂ）および図４（ｃ）は、それぞれ抵抗体７の無い図１１（ａ）、図１１（ｂ）および図１１（ｃ）に対応している。
図４（ａ）は時間ｔ１の振動、図４（ｂ）は時間ｔ２の振動、図４（ｃ）は時間ｔ３の振動、に対する空気の流れである。この場合には、それぞれ第１の振動板２１および第２の振動板２２が下動すると、上記図３の上動の場合と逆の空気の流れが生ずる。したがって、第１の振動板２１および第２の振動板２２は、時間ｔ２の場合のみ、第３の空間Ｓ３内の空気の圧力が第１の空間Ｓ１よりも大きくなる（図４（ｂ）参照）。この実施形態では、第２の空間Ｓ２内に抵抗体７を備えているので、ボイスコイル１０６の動きに追従する第２の振動板２２の下方への変位を妨げる力はより小さくなり、第２の振動板２２から発する音圧の低下はより小さくなる（図示の矢印参照）。
【００４８】
以上のように、第１実施形態のスピーカー装置１では、第３の空間Ｓ３の容積に対し第１の空間Ｓ１の容積が大きく形成されていても、第２の空間Ｓ２に設けた抵抗体７により、第１の空間Ｓ１と第３の空間Ｓ３との相互間で空気の流れが抑制される。このため、特に時間ｔ２の振動に対応する中心周波数＝１００００Ｈｚの音域における、音圧レベルの低下を抑制することができる。
【００４９】
図５は、第１実施形態のスピーカー装置１の周波数特性を表している。同図に示すように、第２の空間Ｓ２に抵抗体７を有するものは、有しないものに比して、９ｋＨｚ〜１５ｋＨｚの音域において顕著な音圧レベルの上昇が確認されると共に、４ｋＨｚ〜７ｋＨｚの音域においても音圧レベルの上昇が確認された。すなわち、第１実施形態のスピーカー装置１では、抵抗体７により、高音域における音圧レベルの低下を抑制することができる。
【００５０】
［変形例］
次に、図６を参照して、抵抗体７の形態および配置に関する変形例について説明する。
図６（ａ）の第１変形例に係る抵抗体７Ａは、第２の空間Ｓ２の外周部３３Ｂに配設されている。すなわち、この抵抗体７Ａは、外周部３３Ｂに納まるように断面厚板状に、全体として円筒状に形成されている。この場合も、抵抗体７Ａは、ボイスコイル１５を回込む気流に添うように配設されている。
図６（ｂ）の第２変形例に係る抵抗体７Ｂは、第２の空間Ｓ２の内周部３３Ａに配設されている。すなわち、この抵抗体７Ｂは、内周部３３Ａに納まるように断面厚板状に、全体として円筒状に形成されている。この場合も、抵抗体７Ｂは、ボイスコイル１５を回込む気流に添うように配設されている。
【００５１】
図６（ｃ）の第３変形例の抵抗体７Ｃは、断面「Ｌ」字状に形成され、第２の空間Ｓ２の外周部３３Ｂから底部３３Ｃに亘って配設されている。
同様に、図６（ｄ）の第４変形例の抵抗体７Ｄは、断面「Ｌ」字状に形成され、第２の空間Ｓ２の内周部３３Ａから底部３３Ｃに亘って配設されている。
図６（ｅ）の第５変形例の抵抗体７Ｅは、断面「Ｕ」字状に形成され、第２の空間Ｓ２の外周部３３Ｂ、底部３３Ｃおよび内周部３３Ａに亘って配設されている。
【００５２】
一方、図６（ｆ）の第６変形例の抵抗体７Ｆは、断面逆「Ｔ」字状に形成され、第２の空間Ｓ２の底部３３Ｃに配設されている。すなわち、この抵抗体７Ｆは、断面逆「Ｔ」字状のフランジ部７Ｆａが底部３３Ｃに配設され、リブ部７Ｆｂがボイスコイル１５の近傍まで延びている。すなわち、この場合のリブ部７Ｆｂは、気流に直交するように配設されている。
【００５３】
これら変形例でも、第２の空間Ｓ２に設けた抵抗体７Ａ〜Ｆ７により、第１の空間Ｓ１と第３の空間Ｓ３との相互間で空気の流れが抑制される。このため、第１実施形態のスピーカー装置１では、これら変形例に係る抵抗体７Ａ〜Ｆ７により、高音域における音圧レベルの低下を抑制することができる。
【００５４】
［第２実施形態］
次に、図７を参照して、第２実施形態に係るスピーカー装置１Ａについて説明する。なお、第２実施形態では、主に第１実施形態と異なる部分について説明する。同図に示すように、このスピーカー装置１Ａでは、第２の振動板２２が第１実施形態のものに比して大きい径に形成され、第１の振動板２１が幅狭に形成されている。すなわち、第３の空間Ｓ３の容積に対し、第１の空間Ｓ１の容積が小さく形成されている。
【００５５】
この実施形態では、第１実施形態における第１の空間Ｓ１内と第３の空間Ｓ３内の空気の圧力の関係が逆になる。すなわち、この実施形態では、第２の空間Ｓ２内に抵抗体７を備えているので、ボイスコイル１０６の動きに追従する第１の振動板２１の上方への変位を妨げる力はより小さくなり、第１の振動板２１から発する音圧の低下はより小さくなる。
【００５６】
［作用・効果］
このような、第２実施形態のスピーカー装置１Ａでも、第３の空間Ｓ３の容積に対し第１の空間Ｓ１の容積が小さく形成されていても、第２の空間Ｓ２に設けた抵抗体７により、第１の空間Ｓ１と第２の空間Ｓ３との相互間で空気の流れが抑制される。このため、第２実施形態のスピーカー装置１Ａでは、抵抗体７により、中音から高音域における音圧レベルの低下を抑制することができる。
【００５７】
なお、本実施形態の振動板４は、中音から高音の良好な再生を意図する第２の振動板２２と、低音から中音の良好な再生を意図する第１の振動板２１とで構成したが、本発明の振動板４は、一体のものであってもよい。また、本実施形態の抵抗体７は、不織布で構成したが、本発明の抵抗体は、流体抵抗の大きいもの、例えば表面が空気の流れ方向に凹凸形状の部材であってもよい。
【符号の説明】
【００５８】
１，１Ａ  スピーカー装置、２  フレーム、３  磁気回路、４  振動板、７，７Ａ、７Ｂ、７Ｃ、７Ｄ、７Ｅ、７Ｆ  抵抗体、１４  磁気ギャップ、１５  ボイスコイル、２１  第１の振動板、２２  第２の振動板、３１  第１の流路、３２  第２の流路、３３Ａ  内周部、３３Ｂ  外周部、３３Ｃ  底部、Ｓ１  第１の空間、Ｓ２  第２の空間、Ｓ３  第３の空間
【図１】
0006455162.tif 000002
【図２】
0006455162.tif 000003
【図３】
0006455162.tif 000004
【図４】
0006455162.tif 000005
【図５】
0006455162.tif 000006
【図６】
0006455162.tif 000007
【図７】
0006455162.tif 000008
【図８】
0006455162.tif 000009
【図９】
0006455162.tif 000010
【図１０】
0006455162.tif 000011
【図１１】
0006455162.tif 000012